(57)【要約】【課題】複数の電子カタログを効率的に表示すること。【解決手段】カタログビューワは、ユーザのＰＣ３０の操作により起動されて、１つのウインドウとしてディスプレイ４０の画面に表示される。このウインドウ内に、配信サーバ１０から配信された複数の電子カタログが、一時に表示される。この電子カタログには、固有の識別番号や、他の電子カタログとの順位付けが示された優先度情報などが配信者側にて設定されて、ユーザが認識しやすい態様でウインドウ内に表示される。【選択図】図１
2009163372.tif 000002
【特許請求の範囲】
【請求項１】
複数の電子コンテンツを取得する取得部と、
前記取得部によって取得された複数の電子コンテンツを１つのウインドウ内に同時に表示する表示処理部と、
を備えることを特徴とする表示装置。
【請求項２】
ユーザからの指示を受け付ける受付部と、
前記受付部で受け付けた指示にしたがって、前記表示処理部によって表示された複数の電子コンテンツのいずれかに対応付けて、電子的に付箋を作成する付箋表示管理部と、
をさらに備えることを特徴とする請求項１に記載の表示装置。
【請求項３】
前記付箋表示管理部は、ユーザの指示により、付箋が１つの電子コンテンツの表示領域内に動かされると、移動先の電子コンテンツと付箋とを新たに対応付け直し、いずれの電子コンテンツも表示されていない領域に付箋が動かされると、当該付箋を移動前の位置に戻すことを特徴とする請求項２に記載の表示装置。
【請求項４】
前記取得部によって取得される複数の電子コンテンツは、それぞれの電子コンテンツに含まれた優先度情報によって順位付けされており、
前記表示処理部は、優先度情報にしたがって、それぞれの電子コンテンツの表示領域を決定することを特徴とする請求項１から３のいずれかに記載の表示装置。
【請求項５】
前記取得部は、固有の識別番号を有する電子コンテンツを取得し、
前記表示処理部は、複数の電子コンテンツから抽出した優先度情報により、すべての電子コンテンツの順位付けを確定できない場合に、識別番号をもとに複数の電子コンテンツを順位付けることを特徴とする請求項４に記載の表示装置。
【請求項６】
前記取得部は、表示領域が特定された電子コンテンツを取得し、
前記表示処理部は、前記取得部によって取得された複数の電子コンテンツのなかに、表示領域が特定された電子コンテンツが存在する場合、その電子コンテンツの優先度情報にかかわらず、特定された表示領域に表示することを特徴とする請求項４または５に記載の表示装置。
【発明の詳細な説明】
【技術分野】
【０００１】
本発明は、表示技術に関し、特に、電子コンテンツを表示するための表示装置に関する。
【背景技術】
【０００２】
従来、自宅において、商品を取り寄せることができるお取り寄せシステムが普及している。お取り寄せシステムにおいて、ユーザは、複数の商品が掲載された紙媒体のカタログを閲覧して、商品の検討、選択を行っている。一方、近年、ネットワークを通じた電子ショッピングシステムが実用化されている。このような電子ショッピングシステムにおいては、従来の紙媒体のカタログをパーソナルコンピュータ（以下、ＰＣという）のディスプレイ上に電子的に表示することが望まれる。従来、複数の商品が掲載された紙媒体としてのカタログから、電子的なカタログを効率的に生成する技術がある（たとえば、特許文献１参照）。
【０００３】
また、ユーザは、ＰＣのディスプレイ上のウインドウ内に表示された電子カタログを参照しながら、注文する商品を決定する。この注文処理の利便性を高めるために、ユーザが選択した商品のリストを管理し、一括して注文処理を実行できる買物かご機能を備えた電子カタログがある（たとえば、特許文献２参照）。
【０００４】
また、電子ショッピングシステムにおいても、複数の商品を見比べながら商品の比較検討をしたいといった要求がある。このような要求に対して、従来、複数のウインドウをディスプレイ上に表示する際に、ウインドウごとに設定された優先度にしたがって、ユーザが視認しやすいような態様で、それぞれのウインドウを効率的に表示するものがある（たとえば、特許文献３〜５参照）。
【特許文献１】特開２００４−３１０６１０号公報
【特許文献２】特開平１０−１０５５９９号公報
【特許文献３】特開平１０−３１２４６８号公報
【特許文献４】特開２００７−２１３５２７号公報
【特許文献５】特開２００７−０２６０１５号公報
【発明の開示】
【発明が解決しようとする課題】
【０００５】
ユーザは、商品の購入の際に、より多くの情報を比較検討の対象とするために、ディスプレイ上に、非常に多くのウインドウを同時に表示させることがある。このような場合、ＰＣの処理負荷が増加するため、電子カタログの応答性に支障が生じる場合がある。
【０００６】
本発明はこうした状況に鑑みてなされたものであり、その目的は、複数の電子カタログを効率的に表示してユーザの利便性を高める技術を提供することにある。
【課題を解決するための手段】
【０００７】
上記課題を解決するために、本発明のある態様の表示装置は、複数の電子コンテンツを取得する取得部と、取得部によって取得された複数の電子コンテンツを１つのウインドウ内に同時に表示する表示処理部と、を備える。この態様によると、１つのウインドウ内に、複数の電子コンテンツを同時に表示することによって、ＰＣの処理負荷への影響をほとんど与えることなく、ユーザは、容易に複数の電子コンテンツを見比べることができる。
【０００８】
ユーザからの指示を受け付ける受付部と、受付部で受け付けた指示にしたがって、表示処理部によって表示された複数の電子コンテンツのいずれかに対応付けて、電子的に付箋を作成する付箋表示管理部と、をさらに備えてもよい。付箋表示管理部は、ユーザの指示により、付箋が１つの電子コンテンツの表示領域内に動かされると、移動先の電子コンテンツと付箋とを新たに対応付け直し、いずれの電子コンテンツも表示されていない領域に付箋が動かされると、当該付箋を移動前の位置に戻す。この態様によると、付箋と、電子コンテンツとを対応付けて管理することによって、ユーザの利便性を向上できる。
【０００９】
取得部によって取得される複数の電子コンテンツは、それぞれの電子コンテンツに含まれた優先度情報によって順位付けされており、表示処理部は、優先度情報にしたがって、それぞれの電子コンテンツの表示領域を決定してもよい。この態様によると、ユーザにとってより認識しやすい態様で、優先度情報の高い電子コンテンツを表示でき、ユーザの利便性を向上できる。
【００１０】
取得部は、固有の識別番号を有する電子コンテンツを取得し、表示処理部は、複数の電子コンテンツから抽出した優先度情報により、すべての電子コンテンツの順位付けを確定できない場合に、識別番号をもとに複数の電子コンテンツを順位付ける。この態様によると、優先度情報の設定に不具合があったような場合であっても、ユーザに負担をかけることなく、適切な位置に電子コンテンツを表示できる。
【００１１】
取得部は、表示領域が特定された電子コンテンツを取得し、表示処理部は、取得部によって取得された複数の電子コンテンツのなかに、表示領域が特定された電子コンテンツが存在する場合、その電子コンテンツの優先度情報にかかわらず、特定された表示領域に表示する。この態様によると、配信者にとってユーザに認識させたい電子コンテンツを所望の位置に表示できる。
【００１２】
なお、以上の構成要素の任意の組合せ、本発明の表現を方法、装置、システム、記録媒体、コンピュータプログラムなどの間で変換したものもまた、本発明の態様として有効である。
【発明の効果】
【００１３】
本発明によれば、複数の電子カタログを効率的に表示できる。
【発明を実施するための最良の形態】
【００１４】
本発明の実施形態を具体的に説明する前に、まず、概要について述べる。本実施形態は、電子カタログの表示装置（以下、カタログビューワ（Ｃａｔａｌｏｇ  Ｖｉｅｗｅｒ）ともいう）に関する。カタログビューワは、ユーザのＰＣ操作により起動される。また、カタログビューワは、１つのウインドウとしてディスプレイ画面に表示され、同一ウインドウ内に、複数の電子カタログを一時に表示する機能を有する。
【００１５】
電子カタログは、複数の商品の情報について体系的に記録されたデータベースである。電子ショッピングをするユーザは、電子カタログであっても、紙媒体のカタログ（以下、紙カタログという）と同じように使用したいといった要求をもつ。たとえば、カタログに付箋をつけたり、複数のカタログを同時に開いて見比べる等である。
【００１６】
したがって、本発明の実施形態の電子カタログにおいては、紙カタログと同様に、同時に複数開いたり、付箋をカタログに貼付する機能を備えることとした。また、同一ウインドウ内にて、同時に複数の電子カタログを開くことを可能とするだけでなく、電子カタログ間での付箋の移動を可能とし、ユーザの利便性を向上させている。
【００１７】
なお、カタログビューワは、ソフトウェアによって実現されていてもよいし、ソフトウェアとハードウェアとの協働によって実現されていてもよい。また、カタログビューワは、電子カタログに掲載された商品の注文、決済処理等のネットショッピング機能を備えていてもよい。このネットショッピング機能は、公知の技術により実現されていてもよい。以下においては、ネットショッピング機能についての説明を省略し、表示機能について説明する。
【００１８】
図１は、本発明の実施形態にかかるカタログ閲覧システム１００の構成例を示す図である。カタログ閲覧システム１００は、配信サーバ１０と、ネットワーク２０と、ＰＣ３０と、ディスプレイ４０とを含む。配信サーバ１０は、ネットワーク２０を介して、ユーザに電子カタログを配信するサーバである。ＰＣ３０は、配信サーバ１０から配信された電子カタログを受信する。また、ユーザの指示にしたがって、カタログビューワを起動する。カタログビューワが起動されると、まず、ウインドウがディスプレイ４０に表示され、ついで、配信された電子カタログがウインドウ内に表示される。
【００１９】
電子カタログには、紙カタログと同様に、商品の外観が示された写真や、商品の特徴、価格等の情報が含まれる。また、電子カタログには、固有の識別番号や、他の電子カタログとの順位付けが示された優先度情報などが設定される。それぞれの電子カタログは、優先度情報により、ウインドウ内の表示領域が決定される。このような電子カタログは、電子カタログの提供者によって作成され、配信される。
【００２０】
また、電子カタログは、同時に表示すべきメッセージ情報（以下、ポップという。）を含んでもよい。ポップは、配信者により、ユーザの興味をより惹き付けたい電子カタログに付加される。ユーザは、ＰＣ３０を操作することにより、電子カタログを拡大したり、ページをめくって掲載された商品を閲覧したり、付箋を貼付したり、貼付した付箋を他の電子カタログに移動する。
【００２１】
図２は、図１のＰＣ３０とディスプレイ４０の構成例を示す図である。ＰＣ３０は、破線内に示すごとく、受付部５０と、表示処理部６０と、通信部８０と、メモリ９０とを含む。
【００２２】
受付部５０は、キーボードやマウスなどのユーザインタフェースを介して、ユーザからの指示を受け付ける。受付部５０は、表示処理部６０や通信部８０に、受け付けた指示内容を通知する。通信部８０は、ネットワーク２０を介して、配信サーバ１０との間で通信を実行して、電子カタログを取得する。電子カタログの取得は、カタログビューワの起動を契機として実行される他、受付部５０からの指示を契機として実行されてもよい。通信部８０は、取得した電子カタログを表示処理部６０に転送する。
【００２３】
受付部５０から、カタログビューワの起動の指示を受けつけると、表示処理部６０は、ディスプレイ４０にウインドウを表示する。さらに、表示処理部６０は、通信部８０から転送された電子カタログをウインドウ内に表示する。複数の電子カタログが通知された場合でも、１つのウインドウ内に同時に表示する。この場合、それぞれの電子カタログに含まれた優先度情報を考慮して、表示領域が決定される。電子カタログが表示される際に、その電子カタログに対応付けられた付箋がある場合、その付箋も併せて表示される。また、電子カタログが表示される際に、その電子カタログにポップが含まれている場合、そのポップも併せて表示される。
【００２４】
カタログビューワの起動後において、受付部５０から、電子カタログの移動の指示を受け付けると、表示処理部６０は、表示された電子カタログを移動する。また、受付部５０から、付箋の作成を指示された場合、表示処理部６０は、いずれかの電子カタログに対応づけて、付箋を作成する。作成した付箋は、対応づけられた電子カタログの表示領域に重ねて表示される。表示処理部６０は、付箋と電子カタログとの対応関係をメモリ９０に記憶して、管理する。付箋の表示後においては、受付部５０からの指示にしたがって、付箋内にメッセージが書き込まれる。このメッセージは、付箋ごとにメモリ９０に記憶される。
【００２５】
以後、付箋は、対応づけられた電子カタログの表示の変化に連動して、表示を変化させてよい。表示の変化とは、表示の開始や停止、表示の拡大や縮小、移動や消去などである。なお、受付部５０からの指示により、表示処理部６０は、付箋を移動する。この際、移動後の付箋は、移動先の電子カタログに対応づけられる。
【００２６】
ここで、表示処理部６０について、詳細に説明する。図３は、図２の表示処理部６０の構成例を示す図である。表示処理部６０は、表示領域設定部６４と、表示制御部６６と、ポインタ制御部６８と、付箋表示管理部７０とを含む。
【００２７】
ポインタ制御部６８は、受付部５０からの通知をもとに、ポインタの座標や、マウスのクリック情報（以下、ポインタ制御情報という）を生成して、表示領域設定部６４と付箋表示管理部７０と表示制御部６６とに通知する。具体的には、ポインタ制御部６８は、電子カタログを移動する旨の指示を受け付けて、表示領域設定部６４に通知する。また、ポインタ制御部６８は、付箋を作成する旨や、付箋をドラッグして移動する旨、あるいは、付箋内にメッセージを書き込む旨等の指示を受け付けて、付箋表示管理部７０に通知する。
【００２８】
なお、クリック情報は、マウスのボタンを１回以上押し下げる動作を含み、また、ボタンの押し下げ動作を継続するドラッグ操作を含む。表示制御部６６は、ポインタ制御部６８からの指示にもとづいて、ポインタをディスプレイ４０に表示し、また、移動する。
【００２９】
カタログビューワの起動時において、表示領域設定部６４は、通信部８０から電子カタログを取得する。取得した電子カタログには、識別情報と優先度情報が含まれる。それぞれの電子コンテンツは、他の電子コンテンツとの間で、優先度情報により順位付けされている。そのため、表示処理部６０は、優先度情報にしたがって、それぞれの電子コンテンツの表示領域を決定する。表示領域設定部６４は、決定された表示領域を付箋表示管理部７０に通知する。
【００３０】
ここで、複数の電子コンテンツから抽出した優先度情報により、それぞれの電子コンテンツの順位付けを確定できない場合、識別番号をもとに順位付ける。順位付けを確定できない場合とは、複数の電子コンテンツ間において同一の順位付けがされている場合や、優先度情報が設定されていない電子コンテンツが存在したりする場合などである。
【００３１】
表示領域を決定した後、表示領域設定部６４は、表示領域と電子カタログとを表示制御部６６に通知して、ディスプレイ４０のウインドウ内に当該電子カタログを表示させる。また、通信部８０から取得した電子カタログにポップが含まれている場合、表示制御部６６は、そのポップも表示する。
【００３２】
なお、通信部８０から取得したいずれかの電子カタログに強調フラグが含まれている場合、優先度にかかわらず、他の電子カタログより強調して、その電子カタログを表示する。「他の電子カタログより強調して表示する」とは、他の電子カタログの表示領域にかかわらず、強制的に、予め特定された領域に表示することを含む。たとえば、ウインドウ内の中央付近にその電子カタログを表示し、また、他の電子カタログと重なって表示される場合に最前面に配置し、また、他の電子カタログと比べて大きく表示する。
【００３３】
表示領域設定部６４は、ポインタの位置やドラッグ操作の有無により、電子カタログを移動する。具体的に説明する、ポインタの位置が、電子カタログの表示領域内にある状態で、ドラッグ操作が実施されると、表示領域設定部６４は、ポインタの移動にあわせて、電子カタログを移動するように表示制御部６６に指示する。電子カタログを移動する場合、表示領域設定部６４は、その旨を付箋表示管理部７０に通知する。
【００３４】
付箋表示管理部７０は、ポインタ制御部６８からの情報にもとづいて、付箋をディスプレイ４０に作成し、また、作成した付箋を移動する。また、表示領域設定部６４から通知された電子カタログの表示領域をもとに、付箋と電子カタログとを対応付ける。対応付けは、電子カタログを単位とせずに、当該電子カタログの所定のページに対応づけられていてもよい。この場合、付箋表示管理部７０は、当該ページが開かれたときに、付箋を表示する。この電子カタログと付箋との対応関係は、付箋ごとに、メモリ９０に記憶される。
【００３５】
なお、対応付けは、電子カタログの表示領域内に、付箋の基準位置を示す基準座標が存在する場合に、実施される。基準位置とは、付箋の表示領域の１点を示す。たとえば、付箋が長方形により表示されている場合、長方形の左上の角が基準位置となり、その座標が基準座標となる。
【００３６】
表示領域設定部６４から、電子カタログの移動について通知されると、付箋表示管理部７０は、メモリ９０にアクセスして、通知された電子カタログに対応付けられた付箋を特定する。付箋表示管理部７０は、その電子カタログの移動に付随して、特定した付箋を移動する。
【００３７】
ポインタ制御部６８から、付箋がドラッグされている旨が通知された場合、付箋表示管理部７０は、ポインタの移動にともなって、ドラッグされている付箋を移動する。移動先に、電子カタログが存在する場合、その電子カタログに、移動後の付箋を対応付ける。付箋の対応付けが変更された場合、付箋表示管理部７０は、変更後の対応関係をメモリ９０に登録する。一方、移動先が、電子カタログの存在しない領域である場合、付箋を元の位置に戻し、対応付けの変更を行わない。
【００３８】
付箋が表示された位置にて、ポインタ制御部６８からポインタが押し下げられている旨が通知された場合、受付部５０から通知された文字列情報にもとづいて、表示された付箋内に文字列を表示する。文字列は、キーボードなどを用いてユーザにより入力される。また、受付部５０から、付箋の一覧表を表示する旨の指示を受け付けた場合、付箋表示管理部７０は、メモリ９０にアクセスして、記憶されている対応関係を読み出して一覧表を作成し、ディスプレイ４０に表示する。
【００３９】
ここで、図をもちいて、表示処理部６０の動作について具体的に説明する。図４は、図１のディスプレイ４０に表示されるカタログビューワの表示例を示す図である。カタログビューワは、１つのウインドウとして、ディスプレイ４０の画面上に表示される。このウインドウには、たとえば、図４のように、第１電子カタログ２１０ａ〜第３電子カタログ２１０ｃと、ポップ２２０と、付箋２３０と、マウスポインタ２４０と、付箋リスト２５０とが表示される。
【００４０】
カタログビューワが起動されると、図４のように、１つのウインドウ内に、３つの電子カタログ２１０が整列されて表示される。表示される領域は、電子カタログ２１０ごとに設定された優先度情報によって決定される。図４では、第１電子カタログ２１０ａ〜第３電子カタログ２１０ｃの順に、高い優先度情報が設定されているものとする。
【００４１】
優先度情報が高く設定されている場合、ユーザが視認しやすい領域に表示される。図４においては、第１電子カタログ２１０ａ〜第３電子カタログ２１０ｃのそれぞれが表示された領域の順に、視認しやすいものとする。なお、優先度情報と、表示領域との関係は、ユーザにより設定されてもよい。そうすると、第１電子カタログ２１０ａは、最も高い優先度情報が設定されているため、視認しやすい領域として規定されたウインドウ内の左上に表示される。
【００４２】
また、電子カタログは、ポップとともに配信される場合がある。この場合、電子カタログと共に、そのポップが表示される。たとえば、図４のように、ポップ２２０が、第２電子カタログ２１０ｂと共に表示される。このように、ポップを併せて表示することによって、他の電子カタログよりも目立たせて表示させることが可能となり、ユーザの興味を惹き付けられることとなる。
【００４３】
また、電子カタログは、ドラッグされることにより、ウインドウ内の他の領域に移動される。たとえば、第１電子カタログ２１０ａの位置と第２電子カタログ２１０ｂとを入れ替えて表示してもよいし、第１電子カタログ２１０ａの表示を消去してもよい。また、複数の電子カタログ２１０を重ねて表示してもよい。この場合、最前面に表示すべき電子カタログ２１０を設定できる。たとえば、第２電子カタログ２１０ｂの一部を第１電子カタログ２１０ａと第３電子カタログ２１０ｃの表示に重ねながら、ウインドウ内の中央に配置してもよい。なお、それぞれの電子カタログは、当該電子カタログの枠の左上を示す座標、たとえば、カタログ座標２１２やカタログ座標２１４により、表示位置が特定される。
【００４４】
また、表示処理部６０は、ユーザからの指示にしたがって、電子的に付箋２３０を作成する。作成された付箋２３０は、いずれかの電子コンテンツの表示領域内に表示される。また、付箋２３０は、その電子コンテンツと、対応付けられて管理される。たとえば、図４においては、第１電子カタログ２１０ａと、第１付箋２３０ａとが対応付けられ、第３電子カタログ２１０ｃと第２付箋２３０ｂとが対応付けられる。対応付けの有無は、電子コンテンツの表示領域内に、付箋の基準座標が存在するか否かによって、判断される。基準座標は、たとえば、図４に示されるように、付箋２３０の左上の座標である付箋座標２３２が設定されていてもよい。
【００４５】
付箋２３０と電子カタログ２１０との対応関係は、付箋リスト２５０に記憶される。付箋リスト２５０には、作成された付箋と、その付箋に対応付けられた電子カタログ名、および、作成・更新日時が含まれる。この付箋リスト２５０は、ユーザの指示により、図４のように表示される。
【００４６】
マウスポインタ２４０は、ユーザがマウスを操作すると、ウインドウ内を移動するポインタである。移動の際に、マウスのボタンを押し続けることによって、マウスポインタ２４０に指し示された電子カタログ２１０等がドラッグされる。ドラッグされた状態においてボタンが離されると、離されたタイミングにおけるマウスポインタ２４０の位置に、ドラッグされていた電子カタログ２１０等が移動する。
【００４７】
たとえば、図４に示されるように、ユーザのマウス操作に応じて、第１付箋２３０ａをドラッグし、第１矢印２７０ａにしたがって移動する。この場合、移動先の座標２３４を含む領域には、第２電子カタログ２１０ｂが表示されている。この場合、第１付箋２３０ａと第１電子カタログ２１０ａとの対応関係を解除し、第１付箋２３０ａを第２電子カタログ２１０ｂに新たに対応付ける。
【００４８】
一方、付箋２３０の移動先に電子カタログ２１０が存在しない場合、移動対象の付箋を移動前の位置に戻す。たとえば、第２矢印２７０ｂにしたがって、第１付箋２３０ａが移動先の座標２３６に移動されたような場合、その座標には、いずれの電子カタログ２１０も表示されていない。このような場合、対応付けを変更することなく、第１付箋２３０ａを元の付箋座標２３２に戻す。
【００４９】
カタログビューワは、さらにファンクションボタン欄２６０を含んでも良い。ファンクションボタン欄２６０には、ファイルや付箋の作成、編集を実行するためのボタンが配置され、ユーザがマウスポインタにより指示することによって、それぞれの機能が実行される。
【００５０】
ここで、図５と図６とを用いて、優先度情報の設定例と、設定例ごとの表示例とについて説明する。図５（ａ）〜（ｅ）は、図１のディスプレイ４０に表示される電子カタログ２１０に設定された優先度情報の第１設定例３００ａ〜第５設定例３００ｅを示す図である。図６（ａ）〜（ｃ）は、図５（ａ）〜（ｅ）の優先度情報の例の場合における電子カタログ２１０の表示例を示す図である。図６（ａ）（ｂ）は、図５（ａ）（ｂ）の設定例における表示例を示す。図６（ｃ）は、図５（ｃ）〜（ｅ）の設定例における表示例を示す。
【００５１】
図５（ａ）に示した第１設定例３００ａは、電子カタログ名欄３１０とカタログＩＤ欄３２０と優先度欄３３０とを含む。電子カタログ名欄３１０には電子カタログ名が示される。カタログＩＤ欄３２０には電子カタログごとの識別番号が示される。優先度欄３３０には、電子カタログごとの優先度が示される。第１設定例３００ａにおいては、カタログＢ、Ａ、Ｄ、Ｃの順で、順位付けされている。
【００５２】
第１設定例３００ａの場合、図６（ａ）の第１表示例４００ａように、それぞれの電子カタログが表示される。ここでは、第１表示領域２００ａ〜第４表示領域２００ｄで示されるように、ウインドウを２×２のマトリックス状に分割する。左上に最も優先度の高いカタログを表示し、右下に最も低いカタログを表示する。そのため、第１表示領域２００ａ〜第４表示領域２００ｄに、カタログＢ、Ａ、Ｄ、Ｃがそれぞれ表示される。
【００５３】
図５（ｂ）に示した第２設定例３００ｂは、電子カタログ名欄３１０とカタログＩＤ欄３２０と優先度欄３３０とに加え、さらに、強調フラグ欄３４０を含む。強調フラグ欄３４０は、他の電子カタログに比して、強調して表示するか否かを示すフラグであり、配信側にて設定される。この例における強調フラグにおいては、当該電子カタログは、その優先度にかかわらず、ウインドウの中央付近に表示することを示している。第２設定例３００ｂにおいては、電子カタログＤに、強調フラグが設定されている場合を示している。
【００５４】
第２設定例３００ｂの場合、図６（ｂ）の第２表示例４００ｂように、それぞれの電子カタログが表示される。第２表示例４００ｂは、カタログＢ、Ａ、Ｃについて、第１表示例４００ａのように表示される。カタログＤは、ウインドウの中央付近の第５表示領域２００ｅに表示される。これにより、他の電子カタログよりも強調して表示され、ユーザの興味をカタログＤに惹き付けることができる。
【００５５】
図５（ｃ）に示した第３設定例３００ｃは、複数の電子カタログのうち、優先度が設定されていない電子カタログが含まれる場合である。ここでは、電子カタログＣに優先度が設定されていない場合を示している。また、図５（ｄ）に示した第４設定例３００ｄは、複数の電子カタログに同一の優先度が設定された場合である。ここでは、電子カタログＡとＣに同一の優先度が設定されている。また、図５（ｅ）に示した第５設定例３００ｅは、電子カタログＤに設定された優先度の値が異常である場合を示す。ここでは、電子カタログが４つ存在するため、優先度は、１から４の範囲で設定されるべきである。しかし、電子カタログＤには、優先度として９が設定されている。このような場合を異常な状態とする。
【００５６】
以上の第３設定例３００ｃ〜第５設定例３００ｅのように、優先度の設定が所定の条件を満たしていない場合、優先度を無視して、カタログＩＤ欄３２０に示された識別番号を優先度として、取り扱う。具体的には、カタログＡ、Ｂ、Ｃ、Ｄの順で、順位付けられる。この場合、図６（ｃ）の第３表示例４００ｃのように、表示されることとなる。
【００５７】
上述したこれらの構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００５８】
図７は、本発明の実施形態にかかるカタログビューワの起動時における動作例を示すフローチャートである。表示処理部６０は、電子カタログを取得する（Ｓ１０）。つぎに、表示処理部６０は、取得した電子カタログに含まれた優先度情報を解析する（Ｓ１２）。すべての電子カタログについての順位付けが可能な場合（Ｓ１４のＹ）、優先度にしたがって、それぞれの電子カタログの表示領域を設定する（Ｓ１６）。電子カタログの順位付けが確定できない場合（Ｓ１４のＮ）、優先度の代わりに、識別番号を用いて順位付けを行い（Ｓ２０）、それぞれの電子カタログの表示領域を設定する（Ｓ１６）。その後、設定した表示領域にしたがって、複数の電子カタログをウインドウ内に表示する（Ｓ１８）。
【００５９】
図８は、本発明の実施形態にかかる付箋の移動時における動作例を示すフローチャートである。まず、表示処理部６０は、ユーザのマウス動作にしたがって、付箋を移動先に表示する（Ｓ３０）。ここで、移動先に電子カタログが存在する場合（Ｓ３２のＹ）、表示処理部６０は、その電子カタログと付箋とを対応付ける（Ｓ４０）。移動先に電子カタログが存在しない場合（Ｓ３２のＮ）、付箋を元の位置の戻して（Ｓ３４）、処理を終了する。
【００６０】
以上の態様により、１つのウインドウ内に、複数の電子コンテンツを同時に表示することによって、ＰＣの処理負荷への影響をほとんど与えることなく、ユーザは、容易に複数の電子コンテンツを見比べることができる。付箋と、電子コンテンツとを対応付けて管理することによって、対応付けられた電子コンテンツの表示の移動や拡大縮小等の処理に付随して、付箋の表示の移動や拡大縮小等の処理が実行されるため、ユーザの利便性を向上できる。また、ユーザにとってより認識しやすい態様で、優先度情報の高い電子コンテンツを表示でき、ユーザの利便性を向上できる。優先度情報の設定に不具合があったような場合であっても、ユーザに負担をかけることなく、適切に電子コンテンツを表示できる。その電子コンテンツの優先度情報にかかわらず、他の電子コンテンツよりも強調して表示することによって、ユーザにとってより認識しやすい態様で、電子コンテンツを表示できる。
【００６１】
以上、本発明を実施形態、変形例をもとに説明した。この実施形態、変形例は例示であり、それらの各構成要素や各処理プロセスの組合せにかかる更なる変形が可能なこと、またそうした変形も本発明の範囲にあることは当業者に理解されるところである。
【図面の簡単な説明】
【００６２】
【図１】本発明の実施形態にかかるカタログ閲覧システムの構成例を示す図である。
【図２】図１のＰＣとディスプレイの構成例を示す図である。
【図３】図２の表示処理部の構成例を示す図である。
【図４】図１のディスプレイに表示されるカタログビューワの表示例を示す図である。
【図５】図５（ａ）〜（ｅ）は、図１のディスプレイに表示される電子カタログに設定された優先度情報の設定例を示す図である。
【図６】図６（ａ）〜（ｃ）は、図５（ａ）〜（ｅ）の優先度情報の例の場合における電子カタログの表示例を示す図である。
【図７】本発明の実施形態にかかるカタログビューワの起動時における動作例を示すフローチャートである。
【図８】本発明の実施形態にかかる付箋の移動時における動作例を示すフローチャートである。
【符号の説明】
【００６３】
１０  配信サーバ、  ２０  ネットワーク、  ３０  ＰＣ、  ４０  ディスプレイ、  ４２  カタログビューワ、  ５０  受付部、  ６０  表示処理部、  ８０  通信部、  ９０  メモリ、  ６４  表示領域設定部、  ６６  表示制御部、  ６８  ポインタ制御部、  ７０  付箋表示管理部、  ２００  表示領域、  ２２０  ポップ、  ２３０  付箋、  ２４０  マウスポインタ、  ２５０  付箋リスト。
【図１】
2009163372.tif 000003
【図２】
2009163372.tif 000004
【図３】
2009163372.tif 000005
【図４】
2009163372.tif 000006
【図５】
2009163372.tif 000007
【図６】
2009163372.tif 000008
【図７】
2009163372.tif 000009
【図８】
2009163372.tif 000010